(57)【要約】【課題】インプラントを挿入し易くするために、股関節を内転・外旋させた脚位を保持可能な脚位保持具を提供する。【解決手段】寝台Ｂの一方の側部Ｌｃに取り付け可能に形成された土台部１０と、土台部１０の上から寝台Ｂ上の所定の位置Ｐに亘って設置可能な板状部材１２と、土台部１０と板状部材１２との高さ方向の間隔を調節する調節部と、板状部材１２の上面に設けられ、寝台Ｂの他方の側部Ｌｄ側の患者Ｍの第一の脚Ｌｄの足首を所定の向きで係止可能に形成された足首係止部１６と、板状部材１２の上面に設けられ、患者Ｍの第一の脚Ｌｄの少なくとも中足趾節関節を所定の向きで係止可能に形成された足先係止部１８と、を備えている。【選択図】図１
2018033834.tif 000002
【特許請求の範囲】
【請求項１】
寝台の一方の側部に取り付け可能に形成された土台部と、
前記土台部の上から前記寝台上の所定の位置に亘って設置可能な板状部材と、
前記土台部に対する前記板状部材の傾斜角度を調節する調節部と、
前記板状部材の上面に設けられ、前記寝台の他方の側部側の患者の第一の脚の足首を所定の向きで係止可能に形成された足首係止部と、
前記板状部材の上面に設けられ、前記患者の前記第一の脚の少なくとも中足趾節関節を所定の向きで係止可能に形成された足先係止部と、
を備えていることを特徴とする脚位保持具。
【請求項２】
前記板状部材には、前記土台部の上から前記寝台上の所定の位置を通る方向に沿って伸縮する伸縮部及び該伸縮部の長さ寸法を制御する制御機構が設けられていることを特徴とする請求項１に記載の脚位保持具。
【請求項３】
前記足首係止部は、前記板状部材の上面から上方に向けて突出し、互いに所定の間隔をあけて設けられた複数の突起で構成されていることを特徴とする請求項１又は請求項２に記載の脚位保持具。
【請求項４】
前記足先係止部は、前記患者の前記第一の脚の中足趾節関節を囲繞しつつ前記板状部材の上面に接続され、かつ前記中足趾節関節を前記板状部材の上面に当接可能に形成された囲繞部材で構成されていることを特徴とする請求項１から請求項３の何れか一項に記載の脚位保持具。
【発明の詳細な説明】
【技術分野】
【０００１】
本発明は、脚位保持具に関する。
【背景技術】
【０００２】
近年、疾病や事故、加齢等によって股関節の構成部位が損傷を受け、股関節に痛みを生じさせる変形性股関節症、関節リウマチ、大腿骨頭壊死等に代表される疾患において、保存療法を行っても股関節痛が軽減しない場合や、症状或いは股関節変形がかなり進行している場合等には、損傷を受けた部分を人工股関節に置換する人工股関節置換術が行われている。
【０００３】
一般に、仰臥位での人工関節置換術（手術）を行う際には、インプラント（人工関節）を挿入し易くするために、術者に対して患者の大腿骨のインプラント挿入部位（挿入口）を向ける。この際、図１に示すように、患者の手術側の脚を膝のところで曲げ、手術側の股関節を内転および外旋させる。このようなインプラントを挿入し易い脚位は、助手の手や体によって保持されている場合が多い。
【０００４】
上述のような人工関節置換術の他に、例えば、足関節の全置換術時に足を所定の姿勢で保持するのを支援する治具として、以下の特許文献１には、足関節と脛骨とを位置合わせするための位置合わせ工具が開示されている。この位置合わせ工具は、垂直状態から実質的に水平な状態へと旋回するように大きさと構造が決定された足支えアセンブリを備えている。このような位置合わせ工具を用いることにより、プラスチック関節面等のインプラントを足関節に容易に取付けることができる。
【先行技術文献】
【特許文献】
【０００５】
【特許文献１】特開２００９−１４８５９７号公報
【発明の概要】
【発明が解決しようとする課題】
【０００６】
特許文献１に記載の位置合わせ工具をはじめとする従来技術の足（脚）の支持機構や保持具には、あらゆる位置合わせおよび調節機構等が装着されているが、股関節を内転・外旋させた脚位を保持可能とする機構を備えているものは見当たらない。
【０００７】
しかしながら、人工関節置換術において、前述のようにインプラントを挿入し易い脚位を助手が保持すると、助手が正確な脚保持に慣れていない場合や、手術時間が長時間になる場合、あるいは疲労している場合に、インプラントを設置する前に、大腿骨入口部の位置が変化し、インプラント挿入の正確性が低下するという問題があった。
【０００８】
本発明は、インプラントを挿入し易くするために、股関節を内転・外旋させた脚位を保持可能な脚位保持具を提供する。
【課題を解決するための手段】
【０００９】
本発明に係る脚位保持具は、寝台の一方の側部に取り付け可能に形成された土台部と、前記土台部の上から前記寝台上の所定の位置に亘って設置可能な板状部材と、前記土台部に対する前記板状部材の傾斜角度を調節する調節部と、前記板状部材の上面に設けられ、前記寝台の他方の側部側の患者の第一の脚の足首を所定の向きで係止可能に形成された足首係止部と、前記板状部材の上面に設けられ、前記患者の前記第一の脚の少なくとも中足趾節関節を所定の向きで係止可能に形成された足先係止部と、を備えていることを特徴とする。
【００１０】
上述の脚位保持具によれば、寝台に仰臥位で寝ている患者の第一の脚（すなわち、手術側の脚）を膝で曲げつつ、もう一方の第二の脚の下を括らせ、内転および外旋（以下、単に「内転外旋」という場合がある）させた際に、患者の第一の脚の膝から踵までの部位を板状部材状に載置可能になる。また、調節部によって、土台部および寝台の上面に対する板状部材の傾斜角度が調節可能となることで、前述のように内転外旋させた状態（所定の向き）で第一の脚の角度が調節され、術者に対して、内転外旋させた脚位、すなわちインプラントを正確に挿入するために好適な脚位が実現される。また、第一の脚の足首を前述のように内転外旋させた状態（所定の向き）で足首係止部によって係止し、内転外旋させた第一の脚の少なくとも中足趾節関節を前述のように内転外旋させた状態（所定の向き）で足先係止部によって係止可能になる。従って、長時間であっても内転外旋させた脚位が正確に保持される。
【００１１】
また、上述の脚位保持具では、前記板状部材には、前記土台部の上から前記寝台上の所定の位置を通る方向に沿って伸縮する伸縮部および該伸縮部の長さ寸法を制御する制御機構が設けられていることが好ましい。
【００１２】
また、上述の脚位保持具では、前記足首係止部は、前記板状部材の上面から上方に向けて突出し、互いに所定の間隔をあけて設けられた複数の突起で構成されていてもよい。
【００１３】
また、上述の脚位保持具では、前記足先係止部は、前記患者の前記第一の脚の中足趾節関節を囲繞しつつ前記板状部材の上面に接続され、かつ前記中足趾節関節を前記板状部材の上面に当接可能に形成された囲繞部材で構成されていてもよい。
【発明の効果】
【００１４】
本発明の脚位保持具によれば、上述の土台部と、板状部材と、調節部と、足首係止部及び足先係止部と、を用いて、患者の脚を内転外旋させた脚位にし、この脚位を安定的に保持することができる。したがって、術者がインプラントを挿入し易くするために、股関節を内転外旋させた脚位を保持することができる。
【図面の簡単な説明】
【００１５】
【図１】本発明を適用した脚位保持具の概略平面図である。
【図２】本発明を適用した脚位保持具の概略側面図であり、図１に示すＤ１方向から見た図である。
【図３】本発明を適用した脚位保持具の部分平面図である。
【図４】本発明を適用した脚位保持具の足先係止部の構成例を示す模式図である。
【発明を実施するための形態】
【００１６】
以下、本発明を適用した一実施形態の脚位保持具について、図面を参照して説明する。なお、以下の説明で用いる図面は模式的なものであり、長さ、幅、厚みの比率等は実際のものと同一とは限らず、適宜変更できる。
【００１７】
本発明を適用した一実施形態（以下、「本実施形態」とする）である脚位保持具１は、図１に示すように、患者Ｍに人工関節置換術を施す脚、すなわち第一の脚Ｌｄの股関節を内転外旋させた脚位を保持するためのものであって、土台部１０と、板状部材１２と、調節部１４と、足首係止部１６と、足先係止部１８と、を備えている。
【００１８】
土台部１０は、寝台Ｂの一方の側部Ｂｃに取り付け可能に形成されている。一方の側部Ｂｃは、第一の脚Ｌｄとは反対側の寝台Ｂの側部である。土台部１０は、一方の側部Ｂｃに取り付け可能な取り付け部１０Ａと、取り付け部１０Ａに接続されると共に一方の側部Ｂｃから寝台Ｂの幅方向外方に延びる延部１０Ｂと、を備えている。
【００１９】
取り付け部１０Ａとしては、図２に例示する万力や、クリップ構造を有するものが挙げられるが、延部１０Ｂを支持しつつ、寝台Ｂの一方の側部Ｂｃに安定して取り付け可能なものであれば、特に限定されない。なお、図２では、第一の脚Ｌｄの反対側の第二の脚Ｌｃの図示を省略する。
【００２０】
延部１０Ｂは、板状部材で構成されている。延部１０Ｂの寸法は、図１に示すように股関節を内転外旋させた脚位の第一の脚Ｌｄの下方に配置可能な寸法として適切に設定されている。
【００２１】
板状部材１２は、図２に示すように、土台部１０の上方から寝台Ｂ上の所定の位置Ｐ（即ち、第一の脚Ｌｄの膝近傍）に亘って設置可能な部材である。第一の脚Ｌｄの長さや位置に柔軟に対応する観点から、板状部材１２は、寝台Ｂの幅方向に沿って伸縮可能とされていることが好ましい。寝台Ｂの幅方向において、板状部材１２の寝台Ｂの他方の側部Ｂｄ側に位置する端部を「基端部」とし、板状部材１２の寝台Ｂの一方の側部Ｂｃの外方側の端部を「先端部」とする。この場合、板状部材１２の基端部は、寝台Ｂの上面に接している。一方、板状部材１２の先端部は、土台部１０の延部１０Ｂの上方に配置され、延部１０Ｂから離間している。すなわち、板状部材１２は、基端部から先端部に向かうに従い、寝台Ｂ及び土台部１０から離間するように傾斜している。
【００２２】
板状部材１２には、土台部１０の上方（上）から寝台Ｂの上面（上）の所定の位置Ｐを通る方向に沿って伸縮する伸縮部１２Ａと、伸縮部１２Ａの長さ寸法を制御する制御機構１２Ｂが設けられている。
【００２３】
図２には、伸縮部１２Ａの構成例として、寝台Ｂ側に配置され、かつ、中空部を有する中空材１２Ｃと、中空材１２Ｃの中空部に対して進退可能に接続された進退部１２Ｄと、を有する構成を例示している。
【００２４】
制御機構１２Ｂは、板状部材１２の傾斜角度θや、中空材１２Ｃからの進退部１２Ｄの進退量等を制御するものであり、例えば進退部１２Ｄに内蔵されたコンピュータ等で構成されている。また、制御機構１２Ｂは、中空材１２Ｃから所望の寸法で進出させた進退部１２Ｄを固定するための固定部（図示略）を備えていることが好ましい。
【００２５】
調節部１４は、寝台Ｂ及び土台部１０に対する板状部材１２の傾斜角度θを調節するためのものである。図２には、土台部１０の延部１０Ｂと板状部材１２の進退部１２Ｄとの間に介在するジャッキ構造を備えた調節部１４を例示しているが、調節部１４の構成は、傾斜角度θを調節可能であれば、特に限定されない。
【００２６】
足首係止部１６および足先係止部１８は、板状部材１２の土台部１０側、すなわち板状部材１２の先端部に設けられ、具体的には板状部材１２の進退部１２Ｄの上面に設けられている。
足首係止部１６は、寝台Ｂの他方の側部Ｂｄ側の患者Ｍの第一の脚Ｌｄの足首を内転外旋させた向き（所定の向き）で係止可能に形成されている。
【００２７】
足首係止部１６は、板状部材１２の進退部１２Ｄの上面から上方に向けて突出し、互いに所定の間隔をあけて設けられた複数の突起２２で構成されている。それぞれの突起２２は、突起２２同士の間に第一の脚Ｌｄの足首を配置した際に、足首が突起２２の上端よりも上方に抜けない程度に充分な高さ寸法を有している。なお、第一の脚Ｌｄが患者Ｍの左脚であっても右脚であっても対応可能とする観点から、複数の突起２２は、板状部材１２の幅方向における中心に対して対称に配置されていることが好ましい。また、第一の脚Ｌｄの足首の寸法に柔軟に対応する観点から、複数の突起２２は、進退部１２Ｄの上面に着脱可能、かつ移動可能に構成されていることが好ましい。
【００２８】
足先係止部１８は、患者Ｍの第一の脚Ｌｄの少なくとも中足趾節関節ＭＰを所定の向きで係止可能に形成されている。所定の向きは、第一の脚Ｌｄを内転させる向きに相当する。具体的には、足先係止部１８は、図３および図４に示すように、患者Ｍの第一の脚Ｌｄの中足趾節関節ＭＰを囲繞しつつ、板状部材１２の上面に接続され、かつ中足趾節関節ＭＰを板状部材１２の上面に当接可能に形成された囲繞部材２４で構成されている。囲繞部材２４は、例えば、ゴムバンドやマジックテープ（登録商標）で構成されている。また、囲繞部材２４は、例えば、図４に示すように、上方からネジやワッシャーを介して板状部材１２の上面あるいは突起２２に固定可能とされ、板状部材１２の上面との間に第一の脚Ｌｄの中足趾節関節ＭＰの近傍を挟む屈曲部材等であってもよい。
【００２９】
脚位保持具１には、足先係止部１８の囲繞部材２４と同様のゴムバンドやマジックテープ（登録商標）、あるいは屈曲部材で構成され、患者Ｍの第一の脚Ｌｄの踵付近を囲繞しつつ、板状部材１２の上面に接続され、かつ踵付近を板状部材１２の上面に当接可能に形成された補助係止部２８が設けられている。
【００３０】
土台部１０と、板状部材１２と、調節部１４と、足首係止部１６をそれぞれ構成する材質は、患者Ｍの第一の脚Ｌｄに直接接触しても変質等を生じないものであれば特に限定されないが、例えばステンレス（ＳＵＳ）やアルミ、酸化チタン、プラスチック等が挙げられる。
【００３１】
足先係止部１８及び補助係止部２８を構成する材質は、ゴムバンドやマジックテープ（登録商標）の囲繞部材２４を用いる場合は例えば合成ゴム等の樹脂が挙げられ、屈曲部材等の囲繞部材２４を用いる場合は土台部１０等と同様のものが挙げられるが、何れの場合でも患者Ｍの第一の脚Ｌｄに直接接触しても変質等を生じないものであれば特に限定されない。
【００３２】
以上説明した脚位保持具１では、寝台Ｂに仰臥位で寝ている患者Ｍの他方の側部Ｂｄ側の第一の脚Ｌｄ（すなわち、手術側の脚）を膝で曲げつつ、もう一方の第二の脚Ｌｃの下を括らせ、内転外旋させた際に、第一の脚Ｌｃの膝から踵までの部位を板状部材１２の伸縮部１２Ａに載置可能になる。また、調節部１４によって、土台部１０および寝台Ｂの上面に対する板状部材１２の傾斜角度θが調節可能となることで、前述のように内転外旋させた状態で第一の脚Ｌｃの角度が調節され、術者に対して、内転外旋させた脚位、すなわちインプラントを正確に挿入するために好適な脚位が実現される。さらに、第一の脚Ｌｄの足首を内転外旋させた状態で足首係止部１６によって係止し、内転外旋させた第一の脚Ｌｄの少なくとも中足趾節関節ＭＰを内転外旋させた状態で足先係止部１８によって係止可能になる。したがって、脚位保持具１を用いることで、長時間であっても内転外旋させた脚位を正確に保持することができる。
【００３３】
上述の脚位保持具１によれば、インプラント（人工関節等）を正確かつ容易に設置するための脚位（内転位および外旋位）を確実に、かつ正確に長時間保持することができる。したがって、術者や患者Ｍだけでなく、助手にとっても低侵襲の人工関節の手術を容易に施行することができる。これにより、最小侵襲手術の筋腱温存、すなわち筋間アプローチ（進入法）の一つである、仰臥位による前側方（外側）侵入法（アプローチ）を始めとして、前方侵入法（アプローチ）や側方侵入法（アプローチ）等を容易に行うことができる。
また、上述の効果によって、周辺組織に近づくことにより周辺組織が大腿骨側のインプラントの挿入時にインプラントに接触するのを抑え、脚位の正確性を高めることができる。そして、周辺組織のダメージ発生を防ぐと共に、助手の負担軽減を図ることができる。
【００３４】
また、上述の脚位保持具１によれば、板状部材１２に、伸縮部１２Ａおよび制御機構１２Ｂが設けられているので、患者Ｍの脚長等に合わせて板状部材１２の長手方向の寸法を自在に調節することができる。したがって、患者Ｍの脚長等によらず、患者Ｍの第一の脚Ｌｄの膝から踵までの部位を板状部材１２に安定して載置し、内転外旋させた脚位を正確に保持することができる。
【００３５】
また、上述の脚位保持具１によれば、足首係止部１６が複数の突起２２で構成されているので、患者Ｍの第一の脚Ｌｄを内転外旋させた状態で、足首を突起２２間に容易に係止することができる。
また、上述の脚位保持具１によれば、足先係止部１８に囲繞部材２４を用いることで、患者Ｍの第一の脚Ｌｄを内転外旋させた状態で、足先の姿勢を保つために重要な中足趾節関節ＭＰを囲繞部材２４によって囲繞するとともに板状部材１２に固定することができる。
上述した足首係止部１６および足先係止部１８による作用から、内転外旋させた状態の患者Ｍの第一の脚Ｌｄの脚位を容易に且つ正確に保持することができる。
【産業上の利用可能性】
【００３６】
上述したように、本発明によれば、長時間であっても内転外旋させた脚位を正確に保持することができるので、人工股関節置換術の手術中等の場面に限らず、このような脚位を保持することを必要とする広い分野で応用可能である。
【００３７】
以上、本発明の好ましい実施形態について詳述したが、本発明は係る特定の実施形態に限定されるものではなく、特許請求の範囲内に記載された本発明の要旨の範囲内において、種々の変形・変更が可能である。
【００３８】
例えば、内転外旋させた脚位の第一の脚Ｌｄを自由に移動可能にする観点から、脚位保持具１の土台部１０の取り付け部１０Ａ等に、寝台Ｂの長さ方向に沿って脚位保持具１をスライド移動させる機構が設けられていてもよい。また、脚位保持具１の板状部材１２の基端部等に、第一の脚Ｌｄの膝近傍を中心として寝台Ｂの上面に沿って脚位保持具１を回転させる機構が設けられていてもよい。
【００３９】
また、図示していないが、脚位保持具１は、寝台Ｂ上に、第一の脚Ｌｄの内転力に逆らう方向（元の状態、すなわち内転外旋していない脚位に戻ろうとする方向）、すなわち外転力に耐え、内転外旋させた脚位を保持可能とする滑り止め機構を備えていてもよい。あるいは、脚位保持具１は、寝台Ｂの一方の側部Ｂｃに対してロックを掛けられる機構を備えていてもよい。
【符号の説明】
【００４０】
１…脚位保持具
１０…土台部
１２…板状部材
１２Ａ…伸縮部
１２Ｂ…制御機構
１４…調節部
１６…足首係止部
１８…足先係止部
２２…突起
２４…囲繞部材
Ｂｃ…一方の側部
Ｂｄ…他方の側部
Ｌｄ…第一の脚
ＭＰ…中足趾節関節
θ…傾斜角度
【図１】
2018033834.tif 000003
【図２】
2018033834.tif 000004
【図３】
2018033834.tif 000005
【図４】
2018033834.tif 000006